(57)【要約】【課題】引き戸クローザの負荷が大きくなっても引き戸クローザの寿命が短くならないようにできる引き戸クローザを提供する。【解決手段】ワイヤの基端を固設するらせん状のゼンマイを収容したゼンマイ室とワイヤ室を有し、引き戸側に取付けた筐体に収納するゼンマイユニットと、ダンパ力をワイヤを介して引き戸に付与するダンパユニットとを備え、開放した引き戸を自動的に閉鎖する引き戸クローザであって、引き戸を閉鎖したときに巻き取った部分のワイヤはワイヤ室に収納し、ワイヤ室にはワイヤを巻き取るためのワイヤプーリを形成し、ダンパユニットを、ワイヤ４が掛かる１段目のダンパユニット６と、１段目のダンパユニット６と歯車６６、６６’で係合するワイヤフリーの２段目のダンパユニット６’とから構成した。【選択図】図６
2013076291.tif 000002
【特許請求の範囲】
【請求項１】
建物側または引き戸側のいずれか一方に先端を取付けたワイヤと、
このワイヤの基端を固設するらせん状のゼンマイを収容したゼンマイ室及びこのゼンマイ室の外側に形成したワイヤ室を有し、前記建物側または引き戸側のいずれか他方に取付けた筐体に収納するゼンマイユニットと、
前記ワイヤの中間部を巻装若しくは係止するとともに前記引き戸の閉じ動作に抗したダンパ力を前記ワイヤを介して前記引き戸に付与するために、前記ゼンマイユニットと一体で前記筐体に収納したダンパユニットと、
前記ワイヤが所定の通過経路から離脱するのを防止するワイヤ乱れ防止手段と、を備え、
開放した前記引き戸を自動的に閉鎖する引き戸クローザであって、
前記引き戸を閉鎖したときに巻き取った部分の前記ワイヤは、前記ワイヤ室に収納するように構成し、
前記ゼンマイユニットには、前記引き戸の閉扉速度を調整する調速手段を前記ゼンマイ室に隣接する調速室に備え、ワイヤプーリの幅の中に前記ゼンマイ室と前記調速手段を納め薄型化するとともに、
前記ワイヤ室には、前記ワイヤを巻き取るためのワイヤプーリを前記ゼンマイ室との第１の境界壁に形成し、
前記調速手段は、前記ゼンマイ室と前記調速室との第２の境界壁の厚さをゼンマイ軸寄りの方が前記ゼンマイの外周寄りの方よりも厚く形成し、
前記ワイヤ乱れ防止手段は、前記ダンパユニットと前記ゼンマイユニットとを互いに近接状態で、かつ、前記筐体の内壁面に近接配置することで形成した隙間と、前記ワイヤの通過経路近傍に設置したストッパとで構成し、
かつ、
前記ダンパユニットは、前記ワイヤが掛かる１段目のダンパユニットと、前記１段目のダンパユニットと歯車で係合するワイヤフリーの２段目のダンパユニットとから成ることを特徴とする引き戸クローザ。
【請求項２】
引き戸クローザが必要とする減衰力を前記２段目のダンパユニットが担い、前記１段目のダンパユニットをダンパフリーとしたことを特徴とする請求項１記載の引き戸クローザ。
【請求項３】
クローザ本体に戸車又は引き戸用部品を取り付けるためのナット又はボルトを有し、前記ナット又はボルトに取り付けた前記戸車又は引き戸用部品に前記ワイヤの通る穴を設けたことを特徴とする請求項１記載の引き戸クローザ。
【請求項４】
前記１段目のダンパユニット又は前記２段目のダンパユニットの複数個のダンパプーリの最上部にカラーを配置し、前記カラーを前記筐体を構成するカバーに嵌合させたことを特徴とする請求項１記載の引き戸クローザ。
【請求項５】
前記ダンパプーリと前記カラーとの間にシムを配置したことを特徴とする請求項４記載の引き戸クローザ。
【発明の詳細な説明】
【技術分野】
【０００１】
本発明は、ゼンマイの弾性復帰力を利用してワイヤで引き戸を牽引し、引き戸を自動的に閉止する引き戸クローザに関する。
【背景技術】
【０００２】
従来の内蔵タイプの引き戸クローザを引き戸に用いるものとしては、特許文献１に記載の引き戸クローザがある。
特許文献１に記載の引き戸クローザは、引き戸内部に埋設可能な薄型化を簡単な構成で図ることを目的とするもので、具体的には、ワイヤと、このワイヤの他端を固設するゼンマイを収容したゼンマイ室及びワイヤ室を有するゼンマイユニットと、ワイヤの中間部を巻装してダンパ力をワイヤを介して引き戸に付与するダンパユニットと、ワイヤが通過経路から脱線するのを防止するワイヤ乱れ防止手段とを備えたものであり、そしてゼンマイユニットは、引き戸の閉扉速度を調整する調速手段をゼンマイ室の側面と対面する調速室に備え、ワイヤ室にはワイヤを巻き取るためのワイヤプーリをゼンマイ室との第１の境界壁に形成し、調速手段はゼンマイ室と調速室との境界を構成する第２の境界壁の厚さをゼンマイ軸寄りよりも前記ゼンマイの外周寄りの方を薄く形成したものである。このようにすることで、引き戸内部に埋設可能な薄型化された引き戸クローザが得られる。
【先行技術文献】
【特許文献】
【０００３】
【特許文献１】特開２００８−１４４４２１号公報
【０００４】
〈特許文献１に記載の引き戸クローザの説明〉
本発明は特許文献１に記載の引き戸クローザの改良に係るものであるので、特許文献１に記載の引き戸クローザについて、簡単に説明する。
図９及び図１０は、本発明の第１の実施形態に係る引き戸クローザ（以下、「クローザ」と略す）２を取付けた引き戸１を示すものであり、この引き戸１には、上面１１に切欠いた埋設空間１３にクローザ２のケーシングを構成する筐体３が嵌入されて固設されているとともに、下面１２には建物（家屋）側の床面Ｆ上を引き戸の開閉方向(図９において、開扉方向をα、閉扉方向をβで示す。)に沿って転動するローラＲを設置している。また、この引き戸１が建物（家屋）側の上部枠体Ｗに沿って開閉するときの移動動作をガイドして引き戸１の転倒を防止するため、引き戸1の上部に対向する上部枠体Ｗに、断面略コ字形（図９（Ｂ）参照）のガイド部材Ｇを固定して設けてある。
【０００５】
クローザ２は、筐体３の上面３１のみが引き戸１の上面１１から外部に臨む状態で埋設空間１３に嵌入させてねじ３０Ｂで引き戸１に固定されており、筐体３の上面３１と引き戸１の上面１１とが略面一状態で設置されている。別な実施形態として、筐体３の上面３１を引き戸１の上側に埋め込み、筐体３の上面３１と引き戸１の上面１１とが面一となるようにしてもよい。面一とすると、引き戸１の上面１１と上部枠体Ｗとの空間を大きく確保することができる。また、クローザ２は、筐体３の上面３１に開口させた開口３Ａから引き出されたワイヤ４の先端部分が、図１０に示すように、建物（家屋）側の上部枠体Ｗの戸当りＴ近傍のガイド部材Ｇの固定ねじで固定されている。
【０００６】
さらに、クローザ２は、筐体３の内部に、前述したワイヤ４と、以下に後述する、ゼンマイユニット５と、ダンパユニット６と、ワイヤ乱れ防止手段７とを備えている。
【０００７】
このうち、ゼンマイユニット５は、図１１に示すように、ゼンマイ５１を収容したゼンマイ室５２と、ワイヤ４を収納するワイヤ室５３と、引き戸１の閉扉速度を調整する調速手段８とを備えている。ゼンマイ５１は、ゼンマイ軸５５を中心にして螺旋状に多数回巻装されているとともにその最外巻き部分はゼンマイ室５２の内壁に固定されている。ワイヤ４の他端はワイヤプーリ部に固設している。ワイヤ室５３は、ゼンマイ室５２の外側に略円環状に形成してあり、ゼンマイ室５２との壁(第１の境界壁)５７がワイヤプーリを構成しており、引き戸１が閉止したときには多数のワイヤ４が整列巻きされた状態で巻き取られる。なお、ゼンマイ軸５５は、ゼンマイユニット５及び筐体３に対して回転可能な状態で軸支させてあるが、後述の調速手段８の調速軸８１と一体をなしており、調速軸８を所望の位置で固定させることで、ゼンマイ軸５５も回転不動の状態に固定される。
【０００８】
調速手段８は、引き戸１を最後まで完全に閉じた閉扉状態のときのゼンマイ５１の巻き数を変更して引き戸１の閉扉速度を調整するものであり、ゼンマイ室５２の側面と対面（並設）する調速室５４に設け、ワイヤプーリの幅の中にゼンマイ室５２と調速室５４を併設して納めることにより薄型化することができた。特に、ここでは、ゼンマイ室５２と調速室５４との境界を構成する一面の壁(第２の境界壁)５６の厚さを、ゼンマイ５１のゼンマイ軸５５寄りよりも螺旋状のゼンマイ５１の外周寄りの方を薄く形成してある。これにより、後述する閉扉速度調整のためにロックピン８２を回動させるための「にげ空間」を確保しており、ロックピン８２が後述する係止部材８３を乗り越えることができる。このようにして、クローザ２の薄型化が図られているので、通常の引き戸１に対してもクローザ２を埋設できる。
【０００９】
調速手段８は、ゼンマイ５１の回転軸５５と一体になってゼンマイ室５２から第２の境界壁５６を貫通して調速室５４に突出する調速軸８１と、調速軸８１の軸方向に直交する方向（つまり、ゼンマイ５１の半径方向）に伸びる、ゼンマイ室５２内部に設置したロックピン８２と、このロックピン８２を回動させることで、ばね力調整した後のゼンマイ５１の巻き状態を固定するために、調速室５４内部の複数個所に設置してロックピン８２を所望の位置で係止させる係止部材８３とを有する。ロックピン８２には、最低限の強度を確保したうえで、筐体３の薄型化のためにできるだけ細径に形成されている。また、このロックピン８２の頭部には、係止溝８２Ａを設けているが、例えば図１０に示すように、ゼンマイユニット５、筐体３及び引き戸１正面のそれぞれロックピン８２と対応する位置に、透孔(図１０では筐体３の透孔３Ｂのみを示す)を穿設しておけば、引き戸１の外部からマイナスのドライバやコインを係止溝８２Ａに係止させて閉扉速度の調整ができる。
【００１０】
ダンパユニット６は、引き戸１が閉じる際にこの閉じ動作に抗したダンパ力をワイヤ４を介して引き戸１に付与するものであり、本実施形態では、ワイヤ４の中間部を複数回にわたって巻装するようになっており、薄型円板状の内部空間を有し内部にダンパ(図略)を収納するダンパ６１と、ダンパ６１と（同軸状態で）並設し外周面に沿ってワイヤ４が巻装されるダンパプーリ６２とを備えている。ダンパ６１は、いずれも図示しないが、ダンパ室に充填したダンパオイルと、一方向にのみダンパオイルの油圧抵抗を受けるダンパブレードとを備える。また、ダンパブレードの中心に設けたダンパ軸は、後述するダンパプーリ６２のプーリ軸６３と一体となって延伸し、ダンパユニット６を貫通して筐体３まで達している。換言すれば、このダンパ軸は、軸孔３２にて荷重を受ける片持ち支持構造の状態で、筐体３に回転自在に支持されている。
【００１１】
ダンパプーリ６２は、ダンパ側から発生するダンパ力をワイヤ４に伝達させることでゆっくりとした閉扉動作を実現するために設置されており、本実施形態では、前述したように、先端と基端との間の中間部分のワイヤ４を複数回にわたって整列状態で巻装している。また、このダンパプーリ６２のプーリ軸６３は、引き戸１の開扉の際のワイヤ４の引張動作などに伴い、プーリ室６４(又は筐体３)内でダンパプーリ６２が偏心動作を発生したときに、プーリ室６４(又は筐体３)の内壁に衝突せずにダンパプーリ６２の回転を保障するために、筐体３の軸孔３２との間に所定のわずかな隙間(但し、図１１では殆ど確認できない程度の微細な間隔となっている)を設け、ワイヤ４が急激な力を受けた時は、ダンパプーリ６２の端面が筐体３の軸孔３２で支えられ、両端支持の形で滑りながら回転し、荷重を分散することができる。
【００１２】
ワイヤ乱れ防止手段７は、ワイヤ４が所定の通過経路から脱線するのを防止するものであり、引き戸１が閉鎖される方向に戻る際に、仮にワイヤ４が緩んだ状態となっても脱線するのを防止するようになっている。このため、ワイヤ乱れ防止手段７は、それぞれ、ダンパユニット６と筐体３との間、ダンパユニット６とゼンマイユニット５との間、およびゼンマイユニット５と筐体３との間、のワイヤ４の正常な通過経路から脱線するのを防止するために、ダンパユニット６とゼンマイユニット５を互いに近接状態で、かつ、筐体３の内壁面にダンパユニット６とゼンマイユニット５を近接配置することで形成した隙間７Ａ〜７Ｅと、ワイヤ４の正常な通過経路の近傍に設置したストッパ７１〜７３とで構成している。特に、ストッパ７１，７２は、ワイヤ４の正常な通過経路を挟んだ両側で、その経路に近接したところに設置してある。
【００１３】
また、筐体３は、埋設空間１３に嵌入する状態で埋設した筐体３を引き戸１の上面にねじ３０Ｂで固定するためのねじ孔３０Ａを設けた固定板３０を一体に備えている。また、この筐体３には、引き戸１を取り外したり吊り込ませたりする際に、引き戸１の上面１１に対向する建物（家屋）側の上部枠体Ｗにクローザ２が衝突するのを防止する保護手段３３を備えている。この保護手段３３は、ゴムなどの弾性部材で略円錐台形状などに形成されており、引き戸１の上面１１から突出するクローザ２のダンパユニット６のダンパプーリ６２よりも高く突出している。
【００１４】
従って、図１１(Ａ)に示すように、ゼンマイ室５２と調速室５４との境界を構成する一面の壁５６の厚さを、ゼンマイ５１のゼンマイ軸５５寄りよりも螺旋状のゼンマイ５１の外周寄りの方が薄くなるように形成してある。換言すれば、ロックピン８２が後述する係止部材８３を乗り越えることができる状態下で、調速室５４の厚さを最小限に抑えてある。これにより、閉扉速度の調整のために必要なロックピン８２を回動させることができるための「にげ空間」を、必要最小限の厚さで確保できるようになっている。
このように、クローザ２の薄型化が図られているので、通常の引き戸１に対しても、特に厚さを増大させずに本実施形態のクローザ２を収容して埋設できる。しかも、ロックピン８２を強度の許す範囲内においてできるだけ細径にしてゼンマイ室５２内部に設置したので、さらに筐体３の薄型化を図ることができる。
【００１５】
さらに、引き戸１の埋設空間１３にクローザ２を埋設することでクローザ２が隠れて外部から見えないようにできる。しかも、引き戸１の上部の建物（家屋）側の上部枠体Ｗとの間の隙間を利用して、上部枠体Ｗとクローザ２との間にワイヤ４を架設しており、上部枠体Ｗの下面に固設したガイド部材Ｇでワイヤ４を隠して見えないようにできるので、見栄えのよいクローザ２を提供できる。
【００１６】
なお、ここでは、ダンパプーリ６２とワイヤ４の関係を図１１（Ａ）に示すように、多数回整列巻きさせるフラットな溝に構成したが、例えば図１２（Ａ）に示すように、ダンパプーリ６２に対してワイヤ４を1巻き分だけ係止させるようなＶ溝６２Ａをダンパプーリ６２に形成するような構成としてもよい。
大きな力で引く重い引き戸の場合にはワイヤがＶ溝の中にしっかり食い込むことができるので、ダンパプーリ６２が小型化できて有利である。
【００１７】
〈特許文献１に記載の引き戸クローザの問題点〉
ところで、このような内蔵タイプの引き戸クローザを引き戸以外の戸、例えば、折れ戸（吊り戸車が中央上部に取り付けられた戸を複数枚、直線状のレールに各吊り戸車を係止させてレールから各戸を吊り下げ、各戸の端部同士を回動可能にヒンジ止めすることで、各戸を折り畳んで仕舞って部屋を広く使ったり、各戸を拡げて部屋を仕切ったりできる戸）などに取り付けることがある。
そのような場合、次の理由から、（イ）引き戸クローザの負荷が大きくなり、ダンパユニットの寿命を短くする恐れがあった。（ロ）又、ワイヤの経路等が複雑となり、他部品と干渉する恐れがあった。
【００１８】
（イ）引き戸クローザの負荷が大きくなる理由
《理由１》
ゼンマイユニットから繰り出されたワイヤ４（図１０）は、ダンパプーリ６２に掛けられ外部に出て、ワイヤ先端は引き戸枠等の固定部に固定される。
したがって、重量が重いなどの開閉負荷が大きい場合には、ダンパプーリ６２には、（ａ）ワイヤ４の大きな負荷が直接掛かると共に、（ｂ）大きな負荷に必要な減衰量も大きくなるので、引き戸クローザの負荷が大きくなり、これによって故障し易くなることが判明した。
【００１９】
《理由２》
図１３は特許文献１に記載の引き戸クローザの分解斜視図である。
図１３において、筐体３は互いに対向する左端のベース３Ｂと右端のカバー３Ｃとから構成され、ベース３Ｂとカバー３Ｃとの間にダンパユニット６が次のように配設されている。すなわち、ダンパユニット６はダンパ６１とダンパプーリ６２とから成り、さらにダンパ６１は、ダンパ本体６５と、ダンパ本体６５を支持するダンパベース６６と、ダンパ本体６５とダンパプーリ６２とを結合するプーリ軸６３とから成っている。ベース３Ｂとダンパベース６６にはそれぞれナット孔３ＢＮ、６６Ｎがあけられている。ダンパベース６６のナット孔６６Ｎをベース３Ｂのナット孔３ＢＮに合わせてネジＮとナットＭとでベース３Ｂに固定される。さらに、ダンパプーリ６２の突起６２Ｔに形成された軸孔６２Ｓにダンパ本体６５のプーリ軸６３を貫通させてダンパプーリ６２の突起６２Ｔを右端のカバー３Ｃの突起用孔３Ｃ８に挿入することで、左端のベース３Ｂと右端のカバー３Ｃとから構成され筐体３内にダンパユニット６が配設される。
図１３のダンパユニット６はダンパベース６６がベース３ＢにネジＮで取り付けられており、ダンパユニット６の反対側にあるプーリ軸６３はダンパプーリ６２の突起６２Ｔに形成された軸孔６２Ｓに貫通し、その突起６２Ｔがカバー３Ｃの突起用孔３Ｃ８に収容されている。この状態でプーリ６２にワイヤが掛け回されている。
ダンパユニット６をベース３Ｂに固定した状態で、先端の突起６２Ｔをカバー３Ｃの突起用孔３Ｃ８に正確に収容するには高い寸法精度が要求されるが、そのような高い寸法精度を筐体３に持たせることは困難で、実際にはカバー３Ｃの突起用孔３Ｃ８を大きめに作って、先端の突起６２Ｔの公差を吸収させている。したがって、ダンパユニット６の先端の突起６２Ｔはカバー３Ｃの突起用孔３Ｃ８の中でかなり大きく動けるようになっているので、ダンパユニット６はベース３Ｂにいわゆる片持ち支持された状態となっている。
そこで、扉の開閉動作中にワイヤ４（図９、図１０、図１１）が引っ張られるとダンパユニット６の先端の突起６２Ｔが動き、オイルの封入されているダンパ本体６５のプーリ軸６３に軸と直角な方向に力が作用するので、壊れやすいオイルの封入部に無理な力が加わり、ダンパユニット６の寿命を短くしていた。
【００２０】
（ロ）ワイヤの経路等が複雑となる理由
図１０において、ワイヤ４はダンパプーリ６２に掛けられ、そこから外部に向けて斜め上方に出て、その先端は引き戸枠等の固定部に固定されている。引き戸１がこのような１枚の場合はワイヤ４は引き戸１の上方にあるので問題なかったが、上述の折れ戸のような場合は、ワイヤ４は引き戸１の上方から外れることが起きるので、ワイヤの経路が複雑となり、他部品と干渉する恐れがあった。
【発明の概要】
【発明が解決しようとする課題】
【００２１】
本発明は、これらの課題を解決するもので、引き戸クローザの負荷が大きくなっても引き戸クローザの寿命が短くならないような、しかもワイヤが引き戸関連部品と干渉することのない引き戸クローザを提供することを目的としている。
【課題を解決するための手段】
【００２２】
上記目的を達成するため、本発明（１）に係る引き戸クローザは、建物側または引き戸側のいずれか一方に先端を取付けたワイヤと、このワイヤの基端を固設するらせん状のゼンマイを収容したゼンマイ室及びこのゼンマイ室の外側に形成したワイヤ室を有し、前記建物側または引き戸側のいずれか他方に取付けた筐体に収納するゼンマイユニットと、前記ワイヤの中間部を巻装若しくは係止するとともに前記引き戸の閉じ動作に抗したダンパ力を前記ワイヤを介して前記引き戸に付与するために、前記ゼンマイユニットと一体で前記筐体に収納したダンパユニットと、前記ワイヤが所定の通過経路から離脱するのを防止するワイヤ乱れ防止手段と、を備え、開放した前記引き戸を自動的に閉鎖する引き戸クローザであって、
前記引き戸を閉鎖したときに巻き取った部分の前記ワイヤは、前記ワイヤ室に収納するように構成し、前記ゼンマイユニットには、前記引き戸の閉扉速度を調整する調速手段を前記ゼンマイ室に隣接する調速室に備え、ワイヤプーリの幅の中に前記ゼンマイ室と前記調速手段を納め薄型化するとともに、前記ワイヤ室には、前記ワイヤを巻き取るためのワイヤプーリを前記ゼンマイ室との第１の境界壁に形成し、前記調速手段は、前記ゼンマイ室と前記調速室との第２の境界壁の厚さをゼンマイ軸寄りよりも前記ゼンマイの外周寄りの方を薄く形成し、前記ワイヤ乱れ防止手段は、前記ダンパユニットと前記ゼンマイユニットとを互いに近接状態で、かつ、前記筐体の内壁面に近接配置することで形成した隙間と、前記ワイヤの通過経路近傍に設置したストッパとで構成し、
かつ、
前記ダンパユニットは、前記ワイヤが掛かる１段目のダンパユニットと、前記１段目のダンパユニットと歯車で係合するワイヤフリーの２段目のダンパユニットとから成ることを特徴としている。
【００２３】
本発明（２）に係る引き戸クローザは、本発明（１）に係る戸クローザにおいて、引き戸クローザが必要とする減衰力を前記２段目のダンパユニットが担い、前記１段目のダンパユニットをダンパフリーとしたことを特徴としている。
【００２４】
本発明（３）に係る引き戸クローザは、本発明（１）に係る戸クローザにおいて、クローザ本体に戸車又は引き戸用部品を取り付けるためのナット又はボルトを有し、前記ナット又はボルトに取り付けた前記戸車又は引き戸用部品に前記ワイヤの通る穴を設けたことを特徴としている。
【００２５】
本発明（４）に係る引き戸クローザは、本発明（１）に係る戸クローザにおいて、前記１段目のダンパユニット又は前記２段目のダンパユニットの複数個のダンパプーリの最上部にカラーを配置し、前記カラーを前記筐体を構成するカバーに嵌合させたことを特徴としている。
【００２６】
本発明（５）に係る引き戸クローザは、本発明（４）に係る戸クローザにおいて、前記ダンパプーリと前記カラーとの間にシムを配置したことを特徴としている。
【発明の効果】
【００２７】
本発明（１）の構成により、ワイヤが掛かる１段目のダンパユニットと、この１段目のダンパユニットと歯車で係合するワイヤフリーの２段目のダンパユニットを設けることで、ワイヤが掛かる１段目のダンパユニットの減衰力を弱め、その分の減衰力をワイヤフリーの２段目のダンパユニットに担わせることにより、引き戸クローザの寿命の主要因となるワイヤが掛かる１段目のダンパユニットの負担を軽減するので、引き戸クローザの負荷が大きくなっても引き戸クローザの寿命が短くならないようになる。
【００２８】
本発明（２）の構成により、ワイヤが掛かる１段目のダンパユニットの減衰力をゼロ（ダンパフリー）にして、全減衰力をワイヤフリーの２段目のダンパユニットに担わせることにより、引き戸クローザの寿命の主要因となるワイヤが掛かる１段目のダンパユニットの負担をさらに軽減するので、引き戸クローザの負荷が大きくなっても引き戸クローザの寿命が短くならないようになる。
【００２９】
本発明（３）の構成により、ワイヤの通る穴にワイヤを通してワイヤをレールの中に通すようにしたので、ワイヤの経路が単純化され、ワイヤが他部品（例えば戸車）と干渉する恐れがなくなった。
【００３０】
従来は、ダンパプーリの先端をケースに嵌合するように配置していたが、ケースが上と下で分離しているため、嵌合させるには、大きなクリアランスが必要であったが、本発明（４）の構成により、カラーを筐体のカバーに嵌合させて、仮絞めしていたダンパ固定ネジを締めることで、クリアランスが極小なってダンパプーリの先端に掛かる負荷がケースで受け留められるので、ダンパに対する負荷軽減ができ、ダンパ寿命が延びた。
【００３１】
本発明（５）の構成により、ダンパプーリとカラーとの間にシムを配置したので、カラーの回転が止まってもシムとカラーとの間でシムがスリップするので、ダンパプーリの回転が止まらないようにできる。
【図面の簡単な説明】
【００３２】
【図１】図１（Ａ）は本発明の実施形態１に係る引き戸クローザの平面図、図１（Ｂ）は同じく引き戸クローザの正面図である。
【図２】図２は図１の引き戸クローザの分解斜視図である。
【図３】図３は本発明の実施形態２に係る引き戸クローザのダンパプーリ部分の分解斜視図である。
【図４】図４は本発明の実施形態３に係る引き戸クローザの分ダンパプーリ部分の解斜視図である。
【図５】図５は図４の引き戸クローザのダンパプーリの近傍の拡大平面図である。
【図６】図６（Ａ）は本発明の実施形態４に係る引き戸クローザの平面図、図６（Ｂ）は同じく正面図である。
【図７】図７（Ａ）は本発明の実施形態６に係る引き戸クローザの正面図、図７（Ｂ）は戸車の平面図である。
【図８】図８は本発明の実施形態７に係る引き戸クローザのダンパプーリの近傍の拡大平面図である。
【図９】図９（Ａ）は特許文献１記載の引き戸クローザを取付けた引き戸を示す正面図、（Ｂ）は側面図、（Ｃ）は引き戸を開いた状態を示す正面図である。
【図１０】図１０は図９に示すクローザとワイヤの設置状態を示す説明図である。
【図１１】図１１（Ａ）は図９の引き戸クローザを示す平面図、図１１（Ｂ）は正面図である。
【図１２】図１２（Ａ）は図９の引き戸クローザの変形例を示す平面図、図１２（Ｂ）は正面図である。
【図１３】図１３は特許文献１に記載の引き戸クローザのダンパプーリ部分の分解斜視図である。
【発明を実施するための形態】
【００３３】
以下、本発明の実施形態について、添付図面を参照しながら詳細に説明する。
【００３４】
〈実施形態１：必要減衰量を２つのダンパプーリで分担〉
図１（Ａ）は本発明の実施形態１に係る引き戸クローザの平面図、図１（Ｂ）は同じく引き戸クローザの正面図で、ゼンマイユニットは従来のゼンマイユニット５（例えば、図１２参照）と同じであるので、ここでの詳細な図示は省略している。
図１（Ａ）および図１（Ｂ）の引き戸クローザが、図１２（Ａ）および図１２（Ｂ）の引き戸クローザと異なるのは、ワイヤが掛かる１段目のダンパユニット６の近くに２段目のダンパユニット６’を互いに歯車６２Ｇ、６２Ｇ’で組み合わせて近接配置している点である。すなわち、ゼンマイユニット５から繰り出されたワイヤ４（図１（Ｂ））は、歯車６２Ｇを有する１段目のダンパプーリ６２に掛けられ、ダンパプーリ６２を１８０度以上巻回して反対方向へほぼ水平に外部に出ており、１段目のダンパユニット６の歯車６２Ｇは２段目のダンパユニット６’の歯車６２Ｇ’と噛み合っている。それぞれのダンパユニット６、６’はワイヤが引き戻される方向に減衰するように作用させるため、１段目のダンパユニット６と２段目のダンパユニット６’は逆方向のものを組み合わせている。なお、ダンパプーリ６２’にはワイヤを掛けるための溝は存在しない。
そして、引き戸が閉まる時の速度を落とすのに必要な減衰量を１段目のダンパユニット６と２段目のダンパユニット６’とで分担させることで、ワイヤが掛けられて過大負荷となる１段目のダンパユニット６の減衰量を従来よりも半減することができるので、引き戸クローザの寿命の主要因となるワイヤが掛かる１段目のダンパプーリ６の負担を軽減することとなり、引き戸クローザの負荷が大きくなっても引き戸クローザの寿命が短くならないようにできる。
【００３５】
〈必要減衰量を超える減衰量を２つのダンパプーリで分担〉
さらに、１段目のダンパユニット６の減衰量と２段目のダンパユニット６’の減衰量をそれぞれ、必要減衰量を超える大きい必要減衰量の１／２とすることで、ダンパユニット６、６’の減衰量に余裕がでるので、仮にどちらかのダンパプーリが故障したとしても、他方のダンパプーリで引き戸のスピードを十分減衰できるので、引き戸クローザとしてそのまま機能し、引き戸クローザの寿命として延ばすことができる。
ここで言う「必要減衰量」とは、ユーザーが通常これくらいゆっくり閉じて欲しいとされる要求を満たす減衰量のことである。したがって、「必要減衰量を超える減衰量」とは、ユーザーの要求を満たす減衰量以上にゆっくり締めることのできる大きな減衰量のことである。必要減衰量を超える減衰量を有する引き戸クローザはダンパの減衰量とゼンマイによるワイヤ引き力のバランスで引き戸のスピードを変化させることができ、実際の使用に際してはそれほどゆっくり締めなくても良いとされる場合は、ユーザの要求に合わせてゼンマイ力を調節して比較的早く閉じるようにして使うことができる。
【００３６】
図２は図１の引き戸クローザのダンパユニット部分の分解斜視図である。ゼンマイユニット５の図示はここでは省略している。
図２において、筐体３は互いに対向する左端のベース３Ｂと右端のカバー３Ｃとから構成され、ベース３Ｂとカバー３Ｃとの間に図１（Ｂ）で示したように２組のダンパユニット６、６’が上下に配設されている。ダンパユニット６はワイヤ用のＶ字溝があり、６’は溝が無い（歯車のみ）の違いだけで、構成は同じなので、ダンパユニット６について説明し、ダンパユニット６’についての説明は割愛する。
ダンパユニット６はダンパ６１とダンパプーリ６２とから成り、さらにダンパ６１は、ダンパ本体６５と、ダンパ本体６５を支持するダンパベース６６と、ダンパ本体６５とダンパプーリ６２とを結合するプーリ軸６３と、本発明によって使用されるナット板６７とから成っている。ベース３Ｂとダンパベース６６とナット板６７にはそれぞれ取付用孔３ＢＮ、６６Ｎと、ネジ孔６７Ｎがあけられている。また、ナット孔６７Ｎには中央部にダンパ本体６５が貫通できる貫通孔６７Ｌが形成されており、この貫通孔６７Ｌにダンパ本体６５を貫通させることで、ダンパベース６６とナット板６７とを重ねることができ、ダンパベース６６とナット板６７の取付用孔６６Ｎ、ネジ孔６７Ｎをベース３Ｂの取付用孔３ＢＮに合わせてネジＮでベース３Ｂに固定される。さらに、ダンパプーリ６２の突起６２Ｔに形成された軸孔６２Ｓにダンパ本体６５のプーリ軸６３を貫通させてダンパプーリ６２の突起６２Ｔを右端のカバー３Ｃの突起用孔３Ｃ８に挿入することで、左端のベース３Ｂと右端のカバー３Ｃとから構成され筐体３内にダンパユニット６が配設される。
図２のダンパユニット６はダンパベース６６がナット板６７でベース３ＢにネジＮで取り付けられており、ダンパユニット６の反対側にあるプーリ軸６３はダンパプーリ６２の突起６２Ｔに形成された軸孔６２Ｓに貫通し、その突起６２Ｔがカバー３Ｃの突起用孔３Ｃ８に収容されている。この状態でプーリ６２にワイヤが掛け回されている。
一方、下にあるダンパユニット６’のプーリ６２にはワイヤは掛け回されていない（図１（Ｂ）参照）。
したがって、必要な減衰量を上のダンパユニット６と下のダンパユニット６’とで分担させることで、上のダンパユニット６の減衰量を従来よりも半減することができるので、引き戸クローザの寿命の主要因となるワイヤが掛かるダンパプーリ６の負担を軽減することとなり、引き戸クローザの負荷が大きくなっても引き戸クローザの寿命が短くならないようになる。
【００３７】
〈実施形態２：ダンパプーリ上部をカラーを介してカバーと嵌合〉
図３は本発明の実施形態２に係る引き戸クローザのダンパプーリ部分の分解斜視図である。図３の引き戸クローザが図２の引き戸クローザと異なる点は、ダンパプーリ６２の上部（図で右側）をカラー８０を介してカバー３Ｃと嵌合させている点である。
図３のカラー８０はダンパユニット６の先端の突起６２Ｔをカバー３Ｃの突起孔３Ｃ８の中心に設置するためのものである。カラー８０は中空環状体８０Ｃのダンパプーリ６２側にカラーベース８０Ｂを設けて成るもので、中空環状体８０Ｃの内径はダンパプーリ６２の突起６２Ｔに嵌合する寸法で、中空環状体８０Ｃの外径はカバー３Ｃの突起用孔３Ｃ８に嵌合する寸法となっている。
そこで、ナット板６７にネジＮを緩めに締めて若干可動状態にしておき、この状態でダンパユニット６の先端の突起６２Ｔをカラー８０の中空環状体８０Ｃに嵌合し、中空環状体８０Ｃをカバー３Ｃの突起用孔３Ｃ８に嵌合し固定する。その後、緩めに締めていたネジＮを強く締結すれば、ダンパユニット６はベース３Ｂとカバー３Ｃとでいわゆる回転可能な両持ち支持された状態となる
【００３８】
〈本発明に係るナット板６７で仮係止（公差吸収）と本係止（両持ち支持）〉
《図２のダンパユニットの弱点》
図２においては、ダンパユニット６をベース３Ｂに固定した状態で、先端の突起６２Ｔをカバー３Ｃの突起用孔３Ｃ８に正確に収容するには高い寸法精度が要求されるが、そのような高い寸法精度を筐体３に持たせることは困難で、実際にはカバー３Ｃの突起用孔３Ｃ８を若干大きめに作って、先端の突起６２Ｔの公差を吸収させている。したがって、ダンパユニット６の先端の突起６２Ｔはカバー３Ｃの突起用孔３Ｃ８の中で若干動けるようになっているので、ダンパユニット６はベース３Ｂにいわゆる片持ち支持された状態となっている。
そこで、扉の開閉動作中にワイヤ４が引っ張られるとダンパユニット６の先端の突起６２Ｔが動き、オイルの封入されているダンパ本体６５のプーリ軸６３に軸と直角な方向に力が作用するので、オイルの封入部に無理な力が加わり、ダンパユニット６の寿命を短くする虞があった。
《図３のダンパユニットの長所》
ところが、実施形態２によれば、ダンパユニット６の固定は、本発明に係るナット板６７を用い、最初、ダンパユニット６をベース３Ｂに緩く留めて、ダンパプーリ６２の突起６２Ｔを自由に動ける状態に保持し、これにより突起６２Ｔに付けたカラー８０をカバー３Ｃの突起用孔３Ｃ８に合わせて嵌合させることができる。その後、ネジＮを最終工程でナット板６７に強く締め付けるようにすれば、図３のカラー８０はカバー３Ｃの突起用孔３Ｃ８との隙間を極小にでき、ダンパユニット６をベース３Ｂとカバー３Ｃによる両持ち支持状態にすることができ、したがって扉の開閉動作中にワイヤ４が引っ張られてもダンパユニット６の先端の突起６２Ｔが動かないのでダンパユニット６の負荷を軽減させ、ダンパユニット６の寿命を長くすることが可能となる。
【００３９】
〈実施形態３：ダンパプーリ上部とカラーとの間にシムを介挿〉
図４は本発明の実施形態３に係る引き戸クローザのダンパプーリ部分の分解斜視図である。図４の引き戸クローザが図３の引き戸クローザと異なる点は、ダンパプーリ６２の上部（図で右側）とカラー８０との間にシム（円板状スベリ薄板）７０を介在させている点である。
図３の引き戸クローザにおいて、通常はダンパユニット６の回転と伴にカバー３Ｃの突起用孔３Ｃ８の中のカラー８０も連れ回りしているが、ダンパユニット６がワイヤ３で強く引っ張られるとカラー８０が突起用孔３Ｃ８に押しつけられて、カラー８０の回転がストップすることが起きうる。そうするとダンパユニット６の回転に悪影響を与えるので、図４のようにシム７０をダンパプーリ６２とカラー８０との間に介在させることで、カラー８０の回転が万一ストップしたとしても、ストップしているカラー８０の上をシム７０がスリップするので、ダンパユニット６の回転が止まることがシム７０により防止できる。
【００４０】
図５は図４の引き戸クローザのダンパプーリの近傍の拡大平面図である。
ダンパプーリ６２の突起６２Ｔにシム７０を通し、その上にカラー８０を嵌合させ、カラー８０をカバー３Ｃの突起用孔３Ｃ８に嵌合させている。
ダンパ６１はダンパ本体６５とダンパベース６６とプーリ軸６３とから成り、ナット板６７でダンパベース６６をベース３ＢにネジＮで固定している。プーリ６２はダンパ本体６５に被（かぶ）さり、ダンパプーリ６２の突起６２Ｔに形成された軸孔６２Ｓにプーリ軸６３を貫通させている。
ダンパ６１の固定は、まず、ナット板６７でダンパベース６６をベース３ＢにネジＮで緩く固定し、そうするとダンパプーリ６２の突起６２Ｔに嵌合したカラー８０は自由に動けるので寸法公差があってもカラー８０をカバー３Ｃの突起用孔３Ｃ８に嵌合させることができる。その後、ネジＮでナット板６７をベース３Ｂに強く締め付ければ、ダンパベース６６も固定され、ダンパユニット６の先端の突起６２Ｔもカラー８０を介して隙間なくカバー３Ｃの突起用孔３Ｃ８に固定されるので、ダンパユニット６はベース３Ｂとカバー３Ｃによる回転可能な両持ち支持状態となり、ダンパユニット６の寿命を長くできる。
なお、プーリ６２はここではＶ溝が１本形成されたものを用いている。
【００４１】
〈実施形態４：ワイヤが掛けられるダンパプーリを下に配置〉
図６は本発明の引き戸クローザのベストモードであり、図６（Ａ）は本発明の実施形態４に係る引き戸クローザの平面図、図６（Ｂ）は同じく正面図である。
図６の引き戸クローザが図１の引き戸クローザと異なる点は、次の３点である。
（１）ゼンマイユニットから繰り出されたワイヤが掛けられるダンパプーリは上（図１）ではなくて下（図で下側）のダンパプーリである点。
（２）上のダンパユニット６’の歯車６２Ｇ’の位置を中央寄りに設置し、下のダンパユニット６を巻回したワイヤ４が垂直上方に進み筐体３と１段目のダンパユニット６’との間隙を通って真上に出ている点。
（３）図では直接表れていないが、図４のシム７０とカラー８０とを採用している点。
（１）および（２）を採用することで、筐体３の上部角にスペースが空き、そこに後述の実施形態６の実施に必要な引き戸用部品取付ナット９５（図７）を設けることができる。
（３）のカラーを採用することで、ダンパユニット６、６’を筐体３間で両持ち支持状態にすることができ、したがってダンパユニット６、６’の負荷を軽減させ、ダンパユニット６、６’の寿命を長くすることが可能となる。また、シムを採用することで、カラーの回転がストップしたとしてもダンパユニット６、６’の回転が止まることが防止できる。
【００４２】
〈実施形態５：ワイヤが掛けられるダンパプーリはダンパーフリー〉
実施形態４をさらに進めて、実施形態５では、ワイヤが掛けられていないダンパユニット６’に必要減衰量の全量を担わせ、ワイヤが掛けられているダンパユニット６の減衰量をゼロ（すなわち、ダンパーフリー）にしている。ダンパユニット６をダンパーフリーにするには、ダンパユニット６の中に封入されているオイルを単に抜き取るだけでよい。ダンパーフリーのダンパはもはやダンパとは言わないが、ダンパーフリーのダンパも通常のダンパも形状・構造が同じであり、単にオイルの有無だけの違いであるので、ここではダンパーフリーのものもダンパと呼ぶことにしている。
ワイヤの負荷が直接掛かるダンパユニット６が一番故障しやすいので、そのダンパユニット６をダンパフリーとし、他方のダンパユニット６’が必要な全減衰量を担うようにしている。
このようにすると、ワイヤが掛けられているダンパプーリが実施形態４よりもさらに故障しにくくなり、また、ワイヤが掛けられていないダンパプーリには必要な全減衰量が働くが、元々ワイヤの負荷がゼロなので、全減衰量が働いても故障しにくいため、引き戸クローザ全体としては、寿命を延ばすことができる。
【００４３】
〈実施形態６：引き戸クローザに戸車を付ける。〉
図７（Ａ）は本発明の実施形態６に係る引き戸クローザの正面図、図７（Ｂ）は図７（Ａ）の戸車９０の平面図である。
図７（Ａ）および図７（Ｂ）において、戸車９０は車体９０Ｓの外側に走行ローラ９１を設け、車体９０Ｓの内側にワイヤガイドローラ９２を２個対向配置して成り、ワイヤガイドローラ９２、９２の間にワイヤが通る穴９０Ｌを設けている。この戸車９０を引き戸クローザの筐体３に引き戸用部品取付ボルト９３又はナット９４、９５を用いて直接取り付けている。引き戸用部品取付ボルト９３は中にワイヤ４の通過する貫通孔９３Ｌが軸中心を通ってあけられている。この引き戸用部品取付ボルト９３は戸車９０又は筐体３のどちらかに設けられる。
ここで用いる引き戸クローザとしては図６で示したような引き戸クローザを用いると良い。図６の引き戸クローザではワイヤ４は引き戸クローザから直上に引き出すことができるので、これにより引き戸クローザから直上に出たワイヤ４は、引き戸用部品取付ボルト９３の貫通孔９３Ｌを通過し、車体９０Ｓの穴９０Ｌから戸車９０内に入り、ワイヤガイドローラ９２で方向回転してレールの中を通るようになっている。
このようにすることで、ワイヤ４が引き戸関係部品と干渉しなくなり、絡まりのトラブルを防ぐことができる。
ここでは戸車で説明したが、戸車に代わる引き戸用部品でもよく、この引き戸用部品にワイヤの通る穴を設けてもよい。
特に、折れ戸のような場合はワイヤ４の経路が複雑となるが、このようにすることでワイヤ４はレールの中を通るようになるので、ワイヤ４が他部品と干渉する恐れがなくなる。
【００４４】
〈実施形態７：引き戸クローザに平（ひら）ダンパプーリを採用〉
以上の実施形態１〜６では、ダンパプーリ６２としてワイヤ４を1回以下の巻き分だけ係止させるようなＶ溝のダンパプーリを用いていたが、実施形態７では溝がフラットなダンパプーリを用いている。
図８において、ダンパプーリ６２はフラットな溝であり、ここにワイヤ４を多数回（図８では３回）整列巻きさせるようにしている。平（ひら）ダンパプーリはＶ溝のダンパプーリと比べて、非常に小さい軽い引き戸のダンパに対して効果がある。Ｖ溝の１回巻のダンパプーリの場合、非常に小さい軽い引き戸だとワイヤがＶ溝の中にしっかり食い込むことができず、Ｖ溝の中でワイヤがスリップしてダンパプーリが回転しないことが起きるが、平ダンパプーリではワイヤを多数回整列巻きしているので、非常に小さい軽い引き戸でもダンパプーリはしっかり回転することができる。
【００４５】
以上の実施形態では、すべて歯車伝動を用いて説明しているが、その他の伝動装置、例えば、ベルト−プーリによる伝動、およびゴム伝動を用いることも可能である。
【００４６】
〈まとめ〉
本発明の構成により、ワイヤが掛かる１段目のダンパユニットの減衰力を弱め、その分の減衰力をワイヤフリーの２段目のダンパユニットに担わせることにより、引き戸クローザの寿命の主要因となるワイヤが掛かる１段目のダンパユニットの負担を軽減するので、引き戸クローザの負荷が大きくなっても引き戸クローザの寿命が短くならないようになる。
また、ワイヤが掛かる１段目のダンパユニットの減衰力をゼロ（ダンパフリー）にして、全減衰力をワイヤフリーの２段目のダンパユニットに担わせることにより、引き戸クローザの寿命の主要因となるワイヤが掛かる１段目のダンパユニットの負担を一層軽減するので、引き戸クローザの負荷が大きくなっても引き戸クローザの寿命が短くならないようになる。
さらに、ワイヤの通る穴にワイヤを通してワイヤをレールの中に通すようにしたので、ワイヤの経路が単純化され、ワイヤが他部品と干渉する恐れがなくなった。
さらに、カラーを追加し、最後に仮絞めしたダンパ固定ネジを締めることで、クリアランスを極小にすることで、負荷をケースで受けることで、ダンパに対する負荷軽減をすることが可能になった。
そして、ダンパプーリとカラーとの間にシムを配置したので、カラーの回転が止まってもシムとカラーとの間でシムがスリップするので、ダンパプーリの回転が止まらないようにできる。
【符号の説明】
【００４７】
３：筐体
３Ｂ：ベース
３Ｃ：カバー
３Ｃ８：突起用孔
３ＢＮ、６６Ｎ、６７Ｎ：ナット孔
４：ワイヤ
５：ゼンマイユニット
６、６’：ダンパユニット
６１：ダンパ
６２：ダンパプーリ
６２’：ワイヤフリーダンパプーリ
６２Ｇ：歯車（ワイヤ溝あり）
６２Ｇ’：歯車（ワイヤ溝なし）
６２Ｔ：突起
６２Ｓ：軸孔
６３：プーリ軸
６５：ダンパ本体
６６：ダンパベース
６７：ナット板
６７Ｌ：貫通孔
７０：シム
７１〜７３：ストッパ
８０：カラー
８０Ｂ：カラーベース
８０Ｃ：中空環状体
９０：戸車
９０Ｓ：車体
９０Ｌ：穴
９１：走行ローラ
９２：ワイヤガイドローラ
９３：引き戸用部品取付ボルト
９３Ｌ：貫通孔
９４、９５：引き戸用部品取付ナット
Ｎ：ネジ
【図１】
2013076291.tif 000003
【図２】
2013076291.tif 000004
【図３】
2013076291.tif 000005
【図４】
2013076291.tif 000006
【図５】
2013076291.tif 000007
【図６】
2013076291.tif 000008
【図７】
2013076291.tif 000009
【図８】
2013076291.tif 000010
【図９】
2013076291.tif 000011
【図１０】
2013076291.tif 000012
【図１１】
2013076291.tif 000013
【図１２】
2013076291.tif 000014
【図１３】
2013076291.tif 000015